(57)【要約】【課題】三脚を用いずに固定できるカメラを提供する。【解決手段】カメラ本体１２の底面には、嵌合穴３２が設けられている。嵌合穴３２は、カメラ本体１２の底面中央部に窪むように設けられ、ペットボトル１４のボトルキャップ１６の形状に対応した形状に形成される。嵌合穴３２をペットボトル１４のボトルキャップ１６に被せるようにカメラ本体１２をセットすると、嵌合穴３２とボトルキャップ１６とが嵌合し、カメラ本体１２がペットボトル１４上に固定される。【選択図】        図３
2007047705.tif 000002
【特許請求の範囲】
【請求項１】
カメラ本体の外面に、ペットボトルのボトルキャップに対応した形状で窪むように形成され、前記ボトルキャップの嵌合により前記カメラ本体を前記ペットボトルに固定するための嵌合穴を備えたことを特徴とするカメラ。
【請求項２】
前記嵌合穴は、前記カメラ本体が前記ペットボトルに固定されたときに、カメラ本体の重心の下方に位置することを特徴とする請求項１記載のカメラ。
【請求項３】
前記嵌合穴は、前記カメラ本体の底面中央部に形成されていることを特徴とする請求項１または２記載のカメラ。
【請求項４】
前記嵌合穴の底面は、前記カメラ本体の底面に対して平行に設けられるとともに、前記嵌合穴の内側面は、前記カメラ本体の底面に対して垂直に設けられ、
前記カメラ本体は、水平面に設置された前記ペットボトル上に、前記カメラ本体の底面を水平にした標準姿勢にて固定されることを特徴とする請求項１〜３いずれか１つ記載のカメラ。
【請求項５】
前記カメラ本体は、前記ボトルキャップの直径よりも、前面、背面間の厚みが厚く形成され、
前記嵌合穴は、前記ボトルキャップと直径がほぼ等しい円柱形状に形成されることを特徴とする請求項１〜４いずれか１つ記載のカメラ。
【請求項６】
前記カメラ本体は、前記ボトルキャップの直径よりも、前面、背面間の厚みが薄く形成され、
前記嵌合穴は、前記ボトルキャップと直径がほぼ等しい円柱のうち、前記カメラ本体の前面及び背面から突出する部分を切り落とした部分円柱形状に形成されることを特徴とする請求項１〜４いずれか１つ記載のカメラ。
【請求項７】
前記ボトルキャップの外側面と当接する前記嵌合穴の内側面に、前記ボトルキャップの滑り止め用の凹凸を形成したことを特徴とする請求項１〜６いずれか１つ記載のカメラ。
【請求項８】
前記ボトルキャップの外側面と当接する前記嵌合穴の内側部を、弾性を有する部材から構成したことを特徴とする請求項１〜７いずれか１つ記載のカメラ。
【請求項９】
前記嵌合穴の底面に、前記カメラ本体を三脚上に固定するためのネジ穴を設けたことを特徴とする請求項１〜８いずれか１つ記載のカメラ。
【請求項１０】
前記嵌合穴内に配置されて、前記嵌合穴を塞ぐ蓋体を設けたことを特徴とする請求項１〜９いずれか１つ記載のカメラ。
【請求項１１】
前記蓋体は、前記嵌合穴に対して着脱自在に設けられていることを特徴とする請求項１０記載のカメラ。
【請求項１２】
前記蓋体は、カメラ本体に軸着されて、前記嵌合穴を塞ぐ位置と、前記嵌合穴を露呈させる位置との間で回動自在に設けられていることを特徴とする請求項１０記載のカメラ。
【請求項１３】
前記蓋体は、板状であり、前記嵌合穴の底面と等しい形状に形成され、前記カメラ本体の底面とほぼ等しい高さ位置に配置されて前記嵌合穴を塞ぐ位置と、前記嵌合穴の底面側へ向けて押し込まれた位置との間でスライド自在に設けられていることを特徴とする請求項１０記載のカメラ。
【請求項１４】
前記蓋体に、前記カメラ本体を三脚上に固定するためのネジ穴を設けたことを特徴とする請求項１０〜１３いずれか１つ記載のカメラ。
【請求項１５】
前記蓋体と前記ボトルキャップの少なくとも一方を前記嵌合穴内に保持する保持機構を備えたことを特徴とする請求項１０〜１４いずれか１つ記載のカメラ。
【請求項１６】
前記保持機構は、付勢部材の付勢により、前記嵌合穴の内側面から前記嵌合穴の中心部へ向けて移動された突出位置と、前記嵌合穴が前記ボトルキャップに被せられる際に、前記ボトルキャップによって前記突出位置から前記嵌合穴の内側面へ向け、前記付勢部材の付勢に抗して押し戻され、前記ボトルキャップの外側面に圧接する圧接位置との間で移動自在の保持部材を備えていることを特徴とする請求項１５記載のカメラ。
【請求項１７】
前記保持機構は、前記保持部材を前記圧接位置に係止する係止位置と、前記係止を解除する解除位置との間で移動自在の係止部材を備えたことを特徴とする請求項１６記載のカメラ。
【発明の詳細な説明】
【技術分野】
【０００１】
本発明は、被写体像を撮影するカメラに関するものである。
【背景技術】
【０００２】
カメラを固定するために従来より三脚が用いられている。一般に、三脚の頭部にはカメラ本体の底面に設けられたネジ穴に螺合するネジが設けられ、カメラは三脚の頭部にネジ止めされて固定される。また、三脚の中には、カメラ本体の底面や側面を覆うクレードル装置状の頭部を有するものもある（下記特許文献１参照）。この三脚によれば、カメラを三脚の頭部へ置くようにセットすることで固定できるため、固定の作業が簡単で便利である。
【特許文献１】特開２００４−４５６７８号公報
【発明の開示】
【発明が解決しようとする課題】
【０００３】
カメラを三脚に固定することで、集合写真を撮る際や、自分自身を撮影する際に便利であり、また、手ぶれを防止できるといった効果もある。しかしながら、三脚を持ち歩くことはユーザーにとって負担であった。
【０００４】
本発明は、三脚を用いずに固定できるカメラを提供することを目的としている。
【課題を解決するための手段】
【０００５】
上記目的を達成するために、本発明のカメラは、カメラ本体の外面に、ペットボトルのボトルキャップに対応した形状で窪むように形成され、前記ボトルキャップの嵌合により前記カメラ本体を前記ペットボトルに固定するための嵌合穴を備えたことを特徴としている。
【０００６】
前記嵌合穴は、前記カメラ本体が前記ペットボトルに固定されたときに、カメラ本体の重心の下方に位置することが好ましい。
【０００７】
また、前記嵌合穴は、前記カメラ本体の底面中央部に形成されていることが好ましい。
【０００８】
前記嵌合穴の底面は、前記カメラ本体の底面に対して平行に設けられるとともに、前記嵌合穴の内側面は、前記カメラ本体の底面に対して垂直に設けられ、前記カメラ本体は、水平面に設置された前記ペットボトル上に、前記カメラ本体の底面を水平にした標準姿勢にて固定されることが好ましい。
【０００９】
前記カメラ本体は、前記ボトルキャップの直径よりも、前面、背面間の厚みが厚く形成され、前記嵌合穴は、前記ボトルキャップと直径がほぼ等しい円柱形状に形成されるものでもよい。
【００１０】
また、前記カメラ本体は、前記ボトルキャップの直径よりも、前面、背面間の厚みが薄く形成され、前記嵌合穴は、前記ボトルキャップと直径がほぼ等しい円柱のうち、前記カメラ本体の前面及び背面から突出する部分を切り落とした部分円柱形状に形成されるものでもよい。
【００１１】
前記ボトルキャップの外側面と当接する前記嵌合穴の内側面に沿って、波形形状の凹凸を形成することが好ましい。
【００１２】
また、前記ボトルキャップの外側面と当接する前記嵌合穴の内側部を、弾性を有する部材から構成することが好ましい。
【００１３】
前記嵌合穴の底面に、前記カメラ本体を三脚上に固定するためのネジ穴を設けてもよい。
【００１４】
前記嵌合穴内に配置されて、前記嵌合穴を塞ぐ蓋体を設けることが好ましい。
【００１５】
前記蓋体は、前記嵌合穴に対して着脱自在に設けられたものでもよい。
【００１６】
また、前記蓋体は、カメラ本体に軸着されて、前記嵌合穴を塞ぐ位置と、前記嵌合穴を露呈させる位置との間で回動自在に設けられたものでもよい。
【００１７】
さらに、前記蓋体は、板状であり、前記嵌合穴の底面と等しい形状に形成され、前記カメラ本体の底面とほぼ等しい高さ位置に配置されて前記嵌合穴を塞ぐ位置と、前記嵌合穴の底面側へ向けて押し込まれた位置との間でスライド自在に設けられたものでもよい。
【００１８】
また、前記蓋体に、前記カメラ本体を三脚上に固定するためのネジ穴を設けてもよい。
【００１９】
さらに、前記蓋体と前記ボトルキャップの少なくとも一方を前記嵌合穴内に保持する保持機構を備えていることが好ましい。
【００２０】
前記保持機構は、付勢部材の付勢により、前記嵌合穴の内側面から前記嵌合穴の中心部へ向けて移動された突出位置と、前記嵌合穴が前記ボトルキャップに被せられる際に、前記ボトルキャップによって前記突出位置から前記嵌合穴の内側面へ向け、前記付勢部材の付勢に抗して押し戻され、前記ボトルキャップの外側面に圧接する圧接位置との間で移動自在の保持部材を備えたものでもよい。
【００２１】
また、前記保持機構は、前記保持部材を前記圧接位置に係止する係止位置と、前記係止を解除する解除位置との間で移動自在の係止部材を備えていることが好ましい。
【発明の効果】
【００２２】
本発明のカメラは、ペットボトルのボトルキャップに取り付けて固定することができる。このため、三脚を携帯していない場合であっても、身近にあるペットボトルを三脚代わりに利用することができるので便利である。
【発明を実施するための最良の形態】
【００２３】
本発明を実施し、ペットボトルに取り付け可能としたデジタルカメラの前面側及び背面側の概観図を図１、図２にそれぞれ示す。また、このデジタルカメラをペットボトルに取り付けた状態を図３に示す。デジタルカメラ１０は、略直方体形状のカメラ本体１２を有し、その底面が水平面に略平行となる姿勢を標準姿勢とする横型タイプのカメラである。カメラ本体１２は、薄型に形成され、ペットボトル１４のボトルキャップ１６の直径よりも、前面と背面との間の厚みが薄くなっている。
【００２４】
カメラ本体１２の前面には、撮影レンズ１８を保持するレンズ鏡筒２０が組み込まれている他、ストロボ発光部２２が露呈している。カメラ本体１２の上面には、シャッタボタン２４が設けられ、側面には、メモリカード（図示せず）が着脱自在に装填されるメモリカードスロットを塞ぐ蓋２６が設けられている。
【００２５】
デジタルカメラ１０は、露出を自動で調節するＡＥ機能、ピントを自動で調節するＡＦ機能を備え、フルオートで撮影を行えるようになっている。シャッタボタン２４は、２段階押しのスイッチとなっており、撮影モード中に、シャッタボタン２４を軽く押圧（半押し）すると、被写体照度に応じてストロボ充電がなされるなどの撮影準備処理がなされ、さらにシャッタボタン２４を強く押圧（全押し）すると、本撮影処理が行われて、１画面分の撮像信号が画像データに変換された後、各種画像処理および圧縮処理が施され、メモリカードに記録される。
【００２６】
カメラ本体１２の背面には、各種操作を行うための操作部２８、各種表示を行うための液晶表示パネル（ＬＣＤ）３０が設けられている。デジタルカメラ１０は、前述した撮影モードの他に、再生モード、メニューモードを備え、操作部２８を操作することで各モードの切換を行うことができる。ＬＣＤ３０には、撮影モードではいわゆるスルー画が表示され、再生モードではメモリカードに記録済みの画像が表示され、メニューモードにおいては各種設定を行うためのメニュー画面が表示される。
【００２７】
カメラ本体１２の底面には、嵌合穴３２が設けられている。嵌合穴３２は、カメラ本体１２をペットボトルに取り付けるために設けられ、嵌合穴３２をペットボトル１４のボトルキャップ１６に被せるようにカメラ本体１２をセットすると、嵌合穴３２とボトルキャップ１６とが嵌合し、カメラ本体１２がペットボトル１４上に固定される（図３参照）。
【００２８】
図４に示すように、嵌合穴３２は、カメラ本体１２の底面中央部に窪むように設けられ、ペットボトル１４のボトルキャップ１６の形状に対応した形状に形成される。本実施形態では、ペットボトル１４のボトルキャップ１６の直径よりもカメラ本体１２の厚みが薄いので、嵌合穴３２は、ペットボトル１４のボトルキャップ１６と直径がほぼ等しい円柱のうち、カメラ本体１２の前面及び背面から突出する部分が切り落とされた部分円柱形状に形成される。
【００２９】
また、嵌合穴３２の底面は、カメラ本体１２の底面に平行に設けられ、嵌合穴３２の内側面は、カメラ本体１２の底面と垂直に設けられている。こうすることで、ペットボトル１４を水平な面に置いたときに、ペットボトル１４に固定されたデジタルカメラ１０が標準姿勢になるようにしている（図３参照）。
【００３０】
さらに、図５に示すように、嵌合穴３２の内側面には、例えば、ゴムや樹脂などの弾性を有する部材から構成され、ボトルキャップ１６の挿入方向に長い複数の凹凸を備えた波形の滑り防止部３４が設けられている。滑り防止部３４は、嵌合穴３２にボトルキャップ１６が嵌合される際に弾性変形し、ボトルキャップ１６を嵌合穴３２内に確実に保持する。これにより、デジタルカメラ１０がペットボトル１４上でぐらついたり、ペットボトル１４から脱落してしまうといったことがない。なお、滑り止め部を、ボトルキャップよりも硬質な材料、例えば、金属などから構成してもよい。一般に、ボトルキャップは合成樹脂製であるため、滑り止め部を金属製にすると、嵌合穴にボトルキャップを嵌合する際にボトルキャップ側が弾性変形するが、この場合もボトルキャップを嵌合穴内に確実に保持できる。
【００３１】
図４に示すように、この嵌合穴３２には蓋体３６が着脱される。蓋体３６は、嵌合穴３２と同じ部分円柱形状に形成され、蓋体３６が嵌合穴３２に装着されると、嵌合穴３２が塞がれる。また、蓋体３６には、カメラ本体１２を三脚（図示せず）に固定するためのネジ穴３８が設けられている。ネジ穴３８は、蓋体３６がカメラ本体１２に装着されたとき、カメラ本体１２の底面側に露呈される。そして、このネジ穴３８に三脚の頭部から突出したネジを螺合することで、カメラ本体１２を三脚に固定できる。前述のように、嵌合穴３２の内側面には滑り防止部３４が設けられているので、蓋体３６は、嵌合穴３２内に確実に保持され、カメラ本体１２が三脚上でぐらついたり、三脚から脱落してしまうといったことがない。
【００３２】
このように、デジタルカメラ１０は、嵌合穴３２にボトルキャップ１６を嵌合させることで、ペットボトル１４上に固定できる。これにより、三脚を携帯していない場合もペットボトル１４を三脚代わりに用いることができ、便利である。また、嵌合穴３２に蓋体３６を装着することで外観の凹凸を無くしてデザイン性を向上できる。さらに、蓋体３６にネジ穴３８を設けたので、デジタルカメラ１０を三脚上に固定することもでき、便利である。
【００３３】
なお、本発明は、ペットボトルのボトルキャップと嵌合する嵌合穴を設け、カメラ本体をペットボトル上に固定できればよいので、各部の構成は上記実施形態に限定されず適宜変更できる。例えば、上記実施形態では、ボトルキャップの直径よりもカメラ本体の厚みが薄いデジタルカメラを例に説明をしたが、図６に示すように、ボトルキャップの直径よりもカメラ本体の厚みが厚いデジタルカメラに本発明を適用することもできる。なお、図６以降の図面において、上述した実施形態と同様の部材については、同様の符号を付して説明を省略している。
【００３４】
図６において、デジタルカメラ４０では、嵌合穴４２、及び、蓋体４４を、ボトルキャップ１６と直径がほぼ等しい円柱形状に形成している。これにより、上記実施形態と同様の効果を得ることができる。また、このデジタルカメラ４０には、取り外しレバー４６が設けられ、嵌合穴４２の底面には、取り外しレバー４６の押圧突起４８が露呈され、カメラ本体４９の底面には、取り外しレバー４６の取り外し操作部５０が露呈されている。
【００３５】
図７（Ａ）、（Ｂ）に示すように、取り外しレバー４６は、カメラ本体４９に立設された軸５２に取り付けられ、同図（Ａ）に示す装着位置と、同図（Ｂ）に示す取り外し位置との間で回動自在に保持される。嵌合穴４２に蓋体４４が装着されると、蓋体４４が押圧突起４８を図中上方へ押し上げて、取り外しレバー４６が装着位置へ移動する。装着位置では、取り外し操作部５０を図中上方へ押圧操作することで、取り外しレバー４６が取り外し位置へ移動する。この移動に伴って押圧突起４８が蓋体４４を押し下げて嵌合穴４２から押し出す。このように取り出しレバー４６を設けることで、蓋体４４をカメラ本体４９から取り外し易く、便利である。
【００３６】
また、上記実施形態では、嵌合穴を塞ぐ蓋体がカメラ本体に対して着脱自在に設けられているため、蓋体をカメラ本体から取り外した際に誤って蓋体を紛失してしまうなどといったことが考えられる。このような問題を防止するために、蓋体とカメラ本体とを紐やバンドなどにより連結してもよい。
【００３７】
さらに、図８に示すデジタルカメラ６０のように、蓋体６２とカメラ本体６４とを連結アーム６６によって連結し、蓋体６２をカメラ本体６４に対して回動自在に設けるといったことも考えられる。図９（Ａ）、（Ｂ）に示すように、連結アーム６６は、平行な２本の軸６８、７０を備え、軸６８が蓋体６２に回動自在に取り付けられ、軸７０がカメラ本体６４に回動自在に取り付けられる。そして、蓋体６２は、図９（Ａ）に示す、嵌合穴７２を塞ぐ位置と、同図（Ｂ）に示す、嵌合穴７２を露呈させる位置との間で回動する。このような構成にしても、上記実施形態と同様の効果を得ることができ、また、蓋体を紛失してしまうといったこともない。
【００３８】
また、図１０に示すデジタルカメラ８０のように、蓋体８２をカメラ本体８４に対してスライド自在に設けてもよい。このデジタルカメラ８０は、カメラ本体８４の底面に、ペットボトル１４のボトルキャップ１６と直径がほぼ等しい略円柱形状の嵌合穴８５が設けられている。嵌合穴８５には、円盤形状の蓋体８２が配置される。蓋体８２は、その側部に形成された突起８６が、嵌合穴８５の内側面に形成されたスライドレール８８に係合され、スライドレール８８に沿ってスライド自在に保持される。また、蓋体８２と嵌合穴８５の底面との間には、蓋体８２をカメラ本体８４の底面側へ向けて付勢するバネ９０が配置される。
【００３９】
図１１（Ａ）に示すように、蓋体８２は、嵌合穴８５にボトルキャップ１６が嵌合される際に、ボトルキャップ１６により押圧されて嵌合穴８５内に押し込まれる。そして、嵌合穴８５にボトルキャップ１６が嵌合されることでバネ９０の付勢に抗して嵌合穴８５内に押し込まれたまま保持される。また、同図（Ｂ）に示すように、蓋体８２は、嵌合穴８５からボトルキャップ１６が取り外されると、バネ９０の付勢によってカメラ本体８４の底面側へ移動し、スライドレール８８の一端部に突起８６が当接することでカメラ本体８４の底面とほぼ等しい高さ位置にて係止され、嵌合穴８５を塞ぐ。このような構成にしても、上記実施形態と同様の効果を得ることができ、また、蓋体を紛失してしまうといったこともない。
【００４０】
なお、前述したように、嵌合穴を塞ぐ蓋体を設けることによって、デジタルカメラをペットボトルから取り外した際に外観の凹凸を無くしてデザイン性を向上させることができるが、コスト削減のために蓋体を廃止するといったことも考えられる。この場合、図１２に示すデジタルカメラ１００にように、嵌合穴１０２の底面にネジ穴３８を設け、カメラ本体１０４をペットボトルと三脚の両方に固定できるようにすることが好ましい。
【００４１】
また、図１３に示すデジタルカメラ１１０のように、ボトルキャップや蓋体をより確実に保持するための保持アーム１１２、１１４、１１６を設けてもよい。図１３において、カメラ本体１１１の底面には、ペットボトル１４のボトルキャップ１６に対応した円柱形状の嵌合穴１１８が設けられ、この嵌合穴１１８に、ボトルキャップ１６と、蓋体４４とが選択的に嵌合される。保持アーム１１２、１１４、１１６は、嵌合穴１１８の内側面に沿って等間隔で配置されている。また、カメラ本体１１１の底面には、前述した取り外しレバー４６（図６、図７参照）を構成する取り外し操作部５０が露呈している他、保持アーム１１２の近傍に開口１１９が設けられ、この開口１１９からロックレバー１２０のロック操作部１２２が露呈している。
【００４２】
図１４（Ａ）、（Ｂ）において、保持アーム１１２は、カメラ本体１１１に立設された軸１２４に回動自在に取り付けられている。同図（Ａ）に示すように、保持アーム１１２は、嵌合穴１１８の内側面から突出した突出位置へ向けて、図示しないバネによって付勢されている。同図（Ｂ）に示すように、保持アーム１１２は、嵌合穴１１８にボトルキャップ１６、もしくは、蓋体４４が嵌合される際に、バネの付勢に抗して嵌合穴１１８の内側面へ向けて押し戻されるように回動し、ボトルキャップ１６、もしくは、蓋体４４の外側面に圧接する圧接位置へ移動する。
【００４３】
保持アーム１１４、１１６は、保持アーム１１２と同様の構成をしており、カメラ本体１１１に回動自在に取り付けられ、嵌合穴１１８の側面から突出した突出位置へ向けて、図示しないバネによって付勢されている。そして、保持アーム１１４、１１６は、嵌合穴１１８にボトルキャップ１６、もしくは、蓋体４４が嵌合される際に、バネの付勢に抗して嵌合穴１１８の側面へ向けて押し戻され、ボトルキャップ１６、もしくは、蓋体４４の側面に圧接する。ボトルキャップ１６、もしくは、蓋体４４は、これら３つの保持アーム１１２、１１４、１１６により、その外側面が３方向より支持されて、嵌合穴１１８内に保持される。
【００４４】
他方、ロックレバー１２０は、カメラ本体１１１にスライド自在に取り付けられ、ロック操作部１２２の操作に応じて、図１４（Ａ）、（Ｂ）に示すように、保持アーム１１２から離れた解除位置と、同図（Ｃ）に示すように、ボトルキャップ１６、もしくは、蓋体４４とは反対側から保持アーム１１２に当接し、保持アーム１１２を圧接位置に係止する係止位置との間で移動する。
【００４５】
このデジタルカメラ１１０によれば、移動式の保持アームをボトルキャップ、もしくは、蓋体に圧接させるようにしたので、ボトルキャップ、もしくは、蓋体をより確実に保持できる。特に、嵌合穴の直径よりもボトルキャップの直径が小さい場合に有効であり、このような場合であっても保持アームがボトルキャップに圧接されるので、カメラ本体がボトルキャップ上でぐらついてしまうといったことがない。
【００４６】
さらに、このデジタルカメラ１１０によれば、ロックレバーを設け、保持アームを圧接位置にて係止するようにしたので、ボトルキャップ、もしくは、蓋体をより確実に保持できる。なお、本例では、３つの保持アームのうち１つの保持アームを圧接位置にて係止する例で説明をしたが、各保持アームの近傍にそれぞれロックレバー設け、全ての保持アームの移動を規制するようにしてもよい。もちろん、保持アームの個数も３つに限定されるものではなく、適宜増減してよい。
【００４７】
また、ボトルキャップや蓋体をより確実に保持するための機構としては、前述した保持アームを設ける例に限定されるものではない。例えば、図１５に示すデジタルカメラ１３０のように、第１、第２の２つのレバー１３２、１３４（図１６参照）を備えた保持機構１３６により、ボトルキャップ１４や蓋体３６を保持してもよい。図１５において、デジタルカメラ１３０のカメラ本体１３８には、その底面中央部にボトルキャップ１４及び蓋体３６と選択的に嵌合する嵌合穴１４０が設けられ、保持機構１３６はこの嵌合穴１４０に隣接した位置に設けられている。
【００４８】
図１６（Ａ）、（Ｂ）に示すように、保持機構１３６は、図中左右方向にスライドする第１レバー１３２と、図中上下方向にスライドする第２レバー１３４と、第１レバーを図中右方法へ付勢する第１バネ１４２と、第２レバーを図中下方向へ付勢する第２バネ１４４とを備えている。
【００４９】
第１レバー１３２は、一端部が嵌合穴１４０の内側面に設けられた開口１４６から露呈された保持部１４８となっており、他端部がカメラ本体１３８の底面に設けられた開口１５０から露呈されたロック操作部１５１となっている。第１レバー１３２は、図１６（Ａ）に示すように、第１バネ１４２の付勢により、図中右方向へ移動して、保持部１４８が嵌合穴１４０の内側面とほぼ等しい高さ位置に配置されたロック解除位置と、同図（Ｂ）に示すように、ロック操作部１５１を第１バネ１４２の付勢に抗して図中左方向へ移動され、保持部１４８が嵌合穴１４０の内側壁から突出したロック位置との間で移動する。
【００５０】
第２レバー１３４は、一端部がカメラ本体１３８の底面に設けられた開口１５２から露呈されたロック解除操作部１５４となっており、他端部が係止部１５６となっている。第２レバー１３４は、図１６（Ａ）に示すように、第１レバー１３２がロック解除位置にある場合は、係止部１５６が第１レバー１３２と当接し下方への移動が規制され、第２バネ１４４の付勢に抗して第１レバー１３２の上方で係止される。また、第２レバー１３４は、同図（Ｂ）に示すように、第１レバー１３２がロック位置へ移動されることで下方への移動が可能となり、第２バネ１４４の付勢によって係止部１５６が第１レバー１３２の移動経路上に配置される。
【００５１】
この第２レバー１３４の移動により、第１レバー１３２がロック位置に係止される。また、このとき、第２レバー１３４のロック解除操作部１５４が、開口１５２から突出する。そして、このロック解除操作部１３８を第２バネ１４４の付勢に抗して押し込むと、係止部１５６が第１レバー１３２の移動経路外に移動する。これにより、第１レバー１３２が第１バネ１４２の付勢によりロック解除位置へ移動し、第２レバー１３４が第１レバー１３２の上方で係止される（図１６（Ａ）参照）。
【００５２】
この保持機構１３６によれば、第１レバー１３２をロック位置へ移動させることで、保持部１４８がボトルキャップ１６もしくは蓋体３６の外側面に圧接されるので、ボトルキャップ１６もしくは蓋体３６を嵌合穴１４０内に確実に保持することができる。これにより、ペットボトル１４や三脚上でデジタルカメラ１３０ががたついてしまうといったことがない。
【００５３】
なお、上記実施形態では、ボトルキャップと嵌合する嵌合穴をカメラ本体の底面に設ける例で説明をしたが、本発明はこれに限定されるものではない。例えば、図１７に示すデジタルカメラ１６０のように、カメラ本体１６２の側面に、ボトルキャップと嵌合する嵌合穴１６４を設けてもよい。こうすることで、縦長の撮影画像を得たい場合に便利である。もちろん、カメラ本体の底面や側面以外の外側面に嵌合穴を設けてもよい。また、例えば、カメラ本体の底面及び側面の２カ所に嵌合穴を設けるといったように、嵌合穴を複数設けてもよい。
【００５４】
以上、デジタルカメラを例に説明をしてきたが、本発明は、デジタルカメラに限定されず、写真フイルムを用いるフイルムカメラに対しても適用することができる。
【図面の簡単な説明】
【００５５】
【図１】デジタルカメラの前面側の外観を示す斜視図である。
【図２】デジタルカメラの背面側の外観を示す斜視図である。
【図３】デジタルカメラをペットボトルに取り付けた状態を示す斜視図である。
【図４】デジタルカメラの底面側の外観を示す斜視図である。
【図５】嵌合穴の内側部を示す断面図である。
【図６】デジタルカメラの底面側の外観を示す斜視図である。
【図７】取り外しレバーにより蓋体を取り外す様子を示す断面図である。
【図８】デジタルカメラの底面側の外観を示す斜視図である。
【図９】蓋体が回動する様子を示す断面図である。
【図１０】デジタルカメラの底面側の外観を示す斜視図である。
【図１１】蓋体がスライド移動する様子を示す断面図である。
【図１２】デジタルカメラの底面側の外観を示す斜視図である。
【図１３】デジタルカメラの底面側の外観を示す斜視図である。
【図１４】保持アームとロックレバーの動きを示す断面図である。
【図１５】デジタルカメラの底面側の外観を示す斜視図である。
【図１６】第１レバーと第２レバーの動きを示す断面図である。
【図１７】カメラ本体の側面に嵌合穴を設けた例を示す斜視図である。
【符号の説明】
【００５６】
１０、４０、６０、８０、１００、１１０、１３０、１６０  デジタルカメラ
１２、４９、６４、８４、１０４、１１１、１３８、１６２  カメラ本体
１４  ペットボトル
１６  ボトルキャップ
３２、４２、７２、８５、１０２、１１８、１４０、１６４  嵌合穴
３４  滑り防止部
３６、４４、６２、８２  蓋体
３８  ネジ穴
６６  連結アーム
８６  突起
８８  スライドレール
１１２、１１４、１１６  保持アーム
１２０  ロックレバー
１３２  第１レバー
１３４  第２レバー
【図１】
2007047705.tif 000003
【図２】
2007047705.tif 000004
【図３】
2007047705.tif 000005
【図４】
2007047705.tif 000006
【図５】
2007047705.tif 000007
【図６】
2007047705.tif 000008
【図７】
2007047705.tif 000009
【図８】
2007047705.tif 000010
【図９】
2007047705.tif 000011
【図１０】
2007047705.tif 000012
【図１１】
2007047705.tif 000013
【図１２】
2007047705.tif 000014
【図１３】
2007047705.tif 000015
【図１４】
2007047705.tif 000016
【図１５】
2007047705.tif 000017
【図１６】
2007047705.tif 000018
【図１７】
2007047705.tif 000019